(57)【要約】 【課題】  本発明は、コンピュータ等を利用して、問題の出題と解答の確認が手軽に出来る電子暗記カードを提供することを目的とするものである。【解決手段】  本発明は、文書として作成した問題及び解答をコンピュータの記憶装置に保存し、進行を制御するためのマーカーを入力装置により追加する作成手段と、文書用ソフトウェアを利用して前記問題及び解答を出力装置に表示させ、前記マーカーを検索して進行を中央演算処理装置に制御させる運用手段とからなることを特徴とする文字検索装置及び電子暗記カードを保存した記録媒体の構成とした。【選択図】  図１
2006058632.tif 000002
【特許請求の範囲】
【請求項１】
文書として作成した問題及び解答をコンピュータの記憶装置に保存し、進行を制御するためのマーカーを入力装置により追加する作成手段と、文書用ソフトウェアを利用して前記問題及び解答を出力装置に表示させ、前記マーカーを検索して進行を中央演算処理装置に制御させる運用手段とからなることを特徴とする文字検索装置及び電子暗記カードを保存した記録媒体。
【請求項２】
作成手段が、問題及び解答のグループの最初にストップマーカーを設定し、問題の文末に問題マーカーを設定し、及び解答の文末に解答マーカーを設定することを特徴とする請求項１に記載の文字検索装置及び電子暗記カードを保存した記録媒体。
【請求項３】
運用手段が、間違えた問題の文末に誤答マーカーを設定したり、正解した問題から誤答マーカーを解除することを特徴とする請求項１又は請求項２に記載の文字検索装置及び電子暗記カードを保存した記録媒体。
【請求項４】
運用手段が、重要問題マーカー、日付マーカー、しおりマーカー又は特別マーカーを使い分けて、目的に合った勉強方法を選択することができるようにしたことを特徴とする請求項１、請求項２又は請求項３に記載の文字検索装置及び電子暗記カードを保存した記録媒体。
【請求項５】
問題と解答の間にヒント及びヒントマーカーを追加したことを特徴とする請求項１、請求項２、請求項３又は請求項４に記載の文字検索装置及び電子暗記カードを保存した記録媒体。
【発明の詳細な説明】
【技術分野】
【０００１】
本発明は、コンピュータ等を利用して、問題の出題と解答の確認を手軽に行うことができる文字検索装置及び電子暗記カードを保存した記録媒体に関する発明である。
【背景技術】
【０００２】
一般に、試験などのために漢字や英単語等の暗記をする際は、暗記カードが使用されることが多い。暗記カードは、小型で持ち運びが容易であることから、通勤電車の中など場所を選ばずに勉強することができる。
【０００３】
図８は、従来の暗記カードの斜視図である。暗記カード２３は、複数のカード２３ａの左端又は右端に空けた孔２３ｂに、輪２３ｃを通して束ねたもので、表面２３ｄに問題を記入し、裏面２３ｅに解答を記入する。
【０００４】
始めは、カード２３ａの表面２３ｄの問題を見て、問題に対する答えを考える。答えが出たら、カード２３ａをめくり、裏面２３ｅの解答を見て、正答であるか、又は誤答であるかを確認する。
【０００５】
１枚のカード２３ａの問題を解き終えたら、めくった次のカード２３ａの問題に挑戦する。１枚１枚カード２３ａをめくりながら問題を進めて行くことで、多くの問題を解くことができる。
【０００６】
また、暗記カード２３は、不要なカード２３ａを除いて、新しいカード２３ａを加えることが簡単にできる。覚えにくい問題のカード２３ａを残しておくようにすれば、弱点克服の際に多いに役立つ。
【０００７】
特許文献１に記載の発明のように、暗記カードを自動的に作成する文字処理装置及びディジタル複写装置という発明も公開されている。
【特許文献１】特開平０６−３１６１１６号公報
【発明の開示】
【発明が解決しようとする課題】
【０００８】
しかしながら、暗記カードは、サイズが小さいため、長い文章を書き込むことが困難である。また、不要なカードは捨ててしまったり、新しい問題を追加する際には、新しいカードが必要になったりと、紙資源の無駄に繋がる場合がある。
【０００９】
そこで、本発明は、コンピュータ等を利用して、問題の出題と解答の確認を手軽に行うことができる文字検索装置及び電子暗記カードを保存した記録媒体を提供することを目的とするものである。
【課題を解決するための手段】
【００１０】
本発明は、上記の課題を解決するために、文書３ａとして作成した問題７ａ及び解答９ａをコンピュータ２４の記憶装置２４ｂに保存し、進行を制御するためのマーカーを入力装置２４ｃにより追加する作成１ａ手段と、文書用ソフトウェア２４ｅを利用して前記問題７ａ及び解答９ａを出力装置２４ｄに表示させ、前記マーカーを検索して進行を中央演算処理装置２４ａに制御させる運用１ｂ手段とからなることを特徴とする文字検索装置及び電子暗記カードを保存した記録媒体の構成とした。
【発明の効果】
【００１１】
本発明は、以上の構成であるから以下の効果が得られる。第１に、コンピュータ等を利用して、問題の出題と解答の確認を手軽に行うことができる。検索機能の付いた文書用ソフトウェアさえあれば使用可能で、特別なソフトウェアを用意する必要はない。
【００１２】
第２に、正誤問題、選択問題又は穴埋め問題など様々な形式の問題を出題することが可能であり、問題や解答の文章の長さなどにも特に制限はなく、使用者が自由に記載することができる。
【００１３】
第３に、文章の切取り及び貼付けによる問題の順序の入れ替え、不要な問題の削除又は新たな問題の追加が簡単にできる。紙に印刷する必要もないので、誤字の修正や内容の訂正等も容易にできる。
【００１４】
第４に、使用者の習熟度に合わせて、問題の重要度や復習の必要度をランク付けすることができる。間違えた問題などに目印を付けておくことにより、弱点を洗い出し、集中的に勉強することができる。
【００１５】
第５に、複数のマーカーを使い分けることにより、選択的に復習することができる。全ての問題をする場合、重要問題のみをする場合又は以前間違えた問題をする場合など目的に合った勉強方法を選択することができる。
【発明を実施するための最良の形態】
【００１６】
小型のノート型コンピュータ、携帯情報端末又は携帯電話等を利用することにより、外出した場合であっても、手軽に使用することができる。
【００１７】
文書用ソフトウェアの検索機能は、抽出文字が画面の最下部に来るものが好ましい。また、文書を開いた際に最初の解答が見えないように、目次等を記載して、解答が画面外に隠れるようにしておく。
【実施例１】
【００１８】
以下に、添付図面に基づいて、本発明である文字検索装置及び電子暗記カードを保存した記録媒体について詳細に説明する。図１は、本発明である文字検索装置及び電子暗記カードを保存した記録媒体の全体を示す図である。
【００１９】
文字検索装置及び電子暗記カードを保存した記録媒体は、文書３ａとして作成した問題７ａ及び解答９ａをコンピュータ２４の記憶装置２４ｂに保存し、進行を制御するためのマーカーを入力装置２４ｃにより追加する作成１ａ手段と、文書用ソフトウェア２４ｅを利用して前記問題７ａ及び解答９ａを出力装置２４ｄに表示させ、前記マーカーを検索して進行を中央演算処理装置２４ａに制御させる運用１ｂ手段とからなることを特徴とする。
【００２０】
図１に示すように、電子暗記カード１は、作成１ａと運用１ｂとからなり、作成１ａで作った文書３ａを利用して運用１ｂを行う。運用１ｂ後も文書３ａを修正する際は作成１ａに戻って行う。
【００２１】
作成１ａでは、コンピュータ２４上に文書３ａを作成する。文書３ａには、主として、複数の問題７ａと解答９ａを入力をする。問題７ａ及び解答９ａは、必要があれば、まとまり毎にグループ５ａ分けする。
【００２２】
更に、文書３ａには、運用１ｂの際の便宜のため、問題マーカー８ａ、解答マーカー１０ａ及びストップマーカー６ａを設定する。各マーカーを検索することにより、進行を制御することができる。
【００２３】
文書３ａに入力する問題７ａは、正誤問題、選択問題又は穴埋め問題など様々な形式で作成することができる。また、解答９ａは、問題７ａに対するものであり、問題７ａと解答９ａの対が繰り返し入力される。
【００２４】
運用１ｂでは、コンピュータ２４を利用して、文書３ａから１問ずつ問題７ａを出題する。使用者が問題７ａに対する答えを考えた後、コンピュータ２４に解答９ａを表示させて確認する。
【００２５】
運用１ｂ時には、必要に応じて、文書３ａに誤答マーカー１７ａ、日付マーカー２２ａ又はしおりマーカー１９ａを設定することができる。各マーカーを検索することにより、復習などを効率的に行うことができる。
【００２６】
出題対象は、全ての問題、重要問題、誤答した問題、更に誤答した問題、１週間前の復習、１ヶ月前の復習又は特別な問題など目的に応じて選択することができる。検索機能により、出題対象の問題７ａ及び解答９ａが、次々に出題される。
【００２７】
図２は、本発明である文字検索装置及び電子暗記カードを保存した記録媒体のコンピュータの構成を示すブロック図である。電子暗記カード１は、文字検索装置であるコンピュータ２４により実現される。
【００２８】
コンピュータ２４は、中央演算処理装置２４ａ（ＣＰＵ）、記憶装置２４ｂ、入力装置２４ｃ、出力装置２４ｄからなる。中央演算処理装置２４ａは、演算及び各装置の制御などを行う。
【００２９】
記憶装置２４ｂは、作業領域となる主記憶装置と、保存領域となる補助記憶装置とからなる。補助記憶装置には、ハードディスク等が該当し、文書用ソフトウェア２４ｅが導入されており、作成された文書３ａも保存される。
【００３０】
入力装置２４ｃは、マウスやキーボードが該当する。問題７ａ、解答９ａ又はマーカーをコンピュータ２４に入力することにより、文書３ａを作成する。また、中央演算処理装置２４ａに対して、処理実行の指示を与える。
【００３１】
出力装置２４ｄは、ディスプレイやプリンタが該当する。文書用ソフトウェア２４ｅを利用して、記憶装置２４ｂに保存されている文書３ａを読み込み、問題７ａ又は解答９ａを表示する。
【００３２】
文書用ソフトウェア２４ｅは、問題７ａ及び解答９ａを進行させるために検索機能を有することが必要である。検索では、中央演算処理装置２４ａに演算処理させて、該当の文字を抽出する。
【００３３】
図３は、本発明である文字検索装置及び電子暗記カードを保存した記録媒体の作成を示すフローチャートであり、図４は、本発明である文字検索装置及び電子暗記カードを保存した記録媒体の運用を示すフローチャートである。
【００３４】
作成１ａは、図３に示すように、新規確認２、文書作成３、グループ確認４、グループ作成５、ストップマーカー設定６、問題作成７、問題マーカー設定８、解答作成９、解答マーカー設定１０及び未入力有無確認１１からなる。
【００３５】
新規確認２では、電子暗記カード１が既に存在しているか否かで作業を分岐する。電子暗記カード１が既に存在している場合は、電子暗記カード１に問題７ａ及び解答９ａを追加又は修正するために、利用する文書用ソフトウェア２４ｅで電子暗記カード１の文書３ａを開き、グループ確認４に進む。電子暗記カード１がまだ存在していない場合は、文書作成３を行う。
【００３６】
文書作成３は、利用する文書用ソフトウェア２４ｅの保存形式又は文書用ソフトウェア２４ｅで読み込むことができる形式、例えばテキスト形式のファイルを作成する。文書用ソフトウェア２４ｅで新規作成した電子暗記カード１の文書３ａを開き、グループ確認４に進む。
【００３７】
グループ確認４は、問題７ａ及び解答９ａを章や節などのグループ５ａで分けた場合に、グループ５ａの先頭であるか否かで作業を分岐する。グループ５ａの先頭である場合は、グループ作成５及びストップマーカー設定６を行ってから問題作成７を行う。グループ５ａの先頭でない場合は、問題作成７を行う。尚、グループ確認４から未入力有無確認１１までは繰り返し作業となる。
【００３８】
グループ作成５は、章や節などのグループ５ａの先頭に、グループ５ａを示す文字を入力し、ストップマーカー設定６を行う。グループ５ａは入れ子状に作成することができ、グループ５ａの段階が分かるように入力することが好ましい。
【００３９】
ストップマーカー設定６は、グループ５ａの先頭にストップマーカー６ａを設定する。ストップマーカー６ａは、グループ５ａを検索する際の目印となり、また、グループ５ａにより出題内容が変化するため、勉強の区切りとして利用することもできる。
【００４０】
問題作成７は、出題を行う問題７ａを電子暗記カード１の文書３ａに記入する。問題作成７には、新しい問題７ａを追加することに加え、既に入力されている問題７ａを修正したり削除する場合も含まれる。
【００４１】
問題マーカー設定８は、問題７ａの文末に問題マーカー８ａを設定する。問題マーカー８ａは、問題７ａがどこまでであるかを示す目印となり、問題マーカー８ａを検索していくことにより、問題７ａを切り替えることが可能となる。尚、問題マーカー８ａは、問題７ａの重要度に段階を設けることもできる。
【００４２】
解答作成９は、問題７ａに対する解答９ａを電子暗記カード１の文書３ａに記入する。問題作成７と同様、解答作成９には、新しい問題７ａに対する解答９ａを追加することに加え、既に入力されている解答９ａを修正したり削除する場合も含まれる。尚、解答９ａは、問題７ａを表示した際に解答９ａまで表示されないように、問題７ａの次に１行以上空けて入力する。
【００４３】
解答マーカー設定１０は、解答９ａの文末に解答マーカー１０ａを設定する。解答マーカー１０ａは、問題マーカー８ａと同様、解答９ａがどこまでであるかを示す目印となり、解答マーカー１０ａを検索していくことにより、解答９ａを切り替えることが可能となる。
【００４４】
未入力有無確認１１は、問題７ａ及び解答９ａの入力が完了したか否かで分岐する。問題７ａ及び解答９ａの入力が残っていれば、グループ確認４に戻り、グループ確認４から解答マーカー設定１０までの作業を繰り返す。問題７ａ及び解答９ａの入力が完了したら、電子暗記カード１の文書３ａを閉じて作成１ａを終了する。
【００４５】
運用１ｂは、図４に示すように、しおり有無確認１２、復習事項有無確認１３、日付マーカー検索１４、問題マーカー検索１５、解答マーカー検索１６、誤答マーカー設定１７、中断確認１８、しおりマーカー設定１９、残問題有無確認２０、グループ復習２１及び日付マーカー設定２２からなる。
【００４６】
しおり有無確認１２は、前回の運用１ｂでしおりマーカー１９ａを設定したか否かで作業を分岐する。しおりマーカー１９ａを設定した場合は、中断確認１８の次から作業を再開する。しおりマーカー１９ａを設定していない場合又はしおりマーカー１９ａを無視する場合は、復習事項有無確認１３に進む。尚、一番最初の運用１ｂではしおりマーカー１９ａは存在しない。
【００４７】
復習事項有無確認１３は、既に勉強した部分に関して復習を行うか否かで作業を分岐する。復習を行う場合は、日付マーカー検索１４を行う。復習を行う場合でなければ、文書３ａの最初から問題マーカー検索１５を行う。
【００４８】
日付マーカー検索１４は、既に勉強した部分に付けた日付マーカー２２ａを検索して、日付マーカー２２ａが設定された場所から問題マーカー検索１５を行う。尚、日付マーカー２２ａも一番最初の運用１ｂでは存在しない。
【００４９】
問題マーカー検索１５は、出題を行う問題７ａの問題マーカー８ａを検索して、問題７ａをコンピュータ２４の画面内に表示させる。問題マーカー８ａは、重要度を変えて設定することもできるので、重要問題のみを行うようにすることも可能である。
【００５０】
検索対象の問題７ａは、検索前は画面外下側に存在しているが、検索により画面内に問題マーカー８ａが入るように移動する。問題マーカー８ａは問題７ａの文末にあるため、問題マーカー８ａが画面の最下部に表示され、下にある解答９ａまでは表示されない。
【００５１】
使用者が問題７ａに対して答えを出したら、解答マーカー検索１６を行う。尚、問題マーカー検索１５から残問題有無確認２０までは繰り返し作業となる。
【００５２】
解答マーカー検索１６は、出題した問題７ａに対する解答９ａの解答マーカー１０ａを検索して、解答９ａをコンピュータ２４の画面内に表示させる。解答マーカー１０ａは、問題マーカー８ａと同様、解答９ａの文末にあるため、解答マーカー１０ａが最終行に表示される。使用者は、解答９ａを確認して必要に応じて誤答マーカー設定１７を行う。
【００５３】
誤答マーカー設定１７は、利用者が出題された問題７ａに対して答えを出し、解答９ａを確認して間違えた場合に、目印として誤答マーカー１７ａを設定する。正答した場合には、誤答マーカー１７ａを設定する必要はない。尚、誤答マーカー１７ａにも、間違えた頻度に応じて段階を設けることができる。
【００５４】
中断確認１８は、途中で休憩したい場合など中断するか否かで作業を分岐する。中断する場合は、しおりマーカー設定１９を行う。尚、中断確認１８は、問題マーカー検索１５から残問題有無確認２０までの繰り返しの中で、どの箇所で行っても構わない。
【００５５】
しおりマーカー設定１９は、しおりマーカー１９ａを設定して、どこで中断したのか記録し、運用１ｂを終了する。次回の運用１ｂで、しおりマーカー１９ａを設定した箇所から再開することができる。
【００５６】
残問題有無確認２０は、グループ５ａ内で出題し終わっていない問題７ａが存在するか否かで作業を分岐する。まだ問題７ａが残っている場合は、問題マーカー検索１５に戻り、問題マーカー検索１５から中断確認１８までを繰り返す。問題７ａが残っていない場合は、グループ復習２１に進む。
【００５７】
グループ復習２１は、グループ５ａ内の問題７ａのうち、間違えて誤答マーカー１７ａを設定した問題７ａをもう一度やり直すためのもので、一旦、グループ５ａの最初に戻る。グループ復習２１は、図４の点線で囲んだ部分に示すように、誤答マーカー検索２１ａ、誤答マーカー解除２１ｂ及び残問題有無確認２１ｃからなる。
【００５８】
誤答マーカー検索２１ａは、誤答マーカー１７ａを設定した問題７ａを検索して、問題７ａをコンピュータ２４の画面内に表示させる。問題マーカー８ａと区別することで、間違えた問題７ａのみを効率的に復習することができる。尚、誤答マーカー検索２１ａから残問題有無確認２１ｃまでは繰り返し作業となる。
【００５９】
誤答マーカー解除２１ｂは、グループ復習２１でやり直した問題７ａが正答した場合に誤答マーカー１７ａを解除する。また、再度間違えた場合には、誤答マーカー１７ａの段階を変えて設定し直すこともできる。
【００６０】
残問題有無確認２１ｃは、誤答マーカー１７ａの設定されている問題７ａが残っているか否かで作業を分岐する。まだ問題７ａが残っている場合は、誤答マーカー検索２１ａに戻り、誤答マーカー検索２１ａから誤答マーカー解除２１ｂまでを繰り返す。問題７ａが残っていない場合は、グループ復習２１を抜けて日付マーカー設定２２に進む。
【００６１】
日付マーカー設定２２は、勉強が完了したグループ５ａに対し、日付マーカー２２ａを設定し、運用１ｂを終了する。日付マーカー２２ａは、後日復習する際の目印となる。また、対象のグループ５ａ内の問題７ａをいつ勉強したのかという履歴管理にもなる。
【００６２】
運用１ｂについては、一連の流れで説明しているが、全ての問題をする場合、重要問題をする場合、誤答した問題をする場合又は一定期間前にした問題をする場合など目的に応じて、勉強方法を選択することができる。
【００６３】
重要問題をする場合は、問題マーカー検索１５で検索文字を変えることで可能であり、誤答した問題をする場合は、問題マーカー検索１５から残問題有無確認２０までを飛ばすことで可能であり、一定期間前にした問題をする場合は、日付マーカー検索１４を行うことで可能である。
【００６４】
図５は、本発明である文字検索装置及び電子暗記カードを保存した記録媒体の文書の内容を示す図である。尚、図５における各マーカーは、設定例であり、使用者が自由に決めることができる。
【００６５】
図５に示すように、文書３ａには、問題７ａと解答９ａの繰り返しが、グループ５ａ分けされて記述され、問題７ａ、解答９ａ及びグループ５ａには、それぞれマーカーが付される。
【００６６】
図５の問題１の文末に付された「＊＊」は、問題マーカー８ａであり、図５の解答１の文末に付された「＊＊」は、解答マーカー１０ａである。問題マーカー８ａと解答マーカー１０ａは同じ文字であるが、「＊＊」を検索することにより、問題７ａ及び解答９ａを次々に表示することができる。
【００６７】
図５の問題２の文末に付された「＊＊＊」も、問題マーカー８ｂであるが、問題７ａが重要問題である場合に付ける。「＊＊」で検索した場合は、重要問題を含んだ全ての問題７ａが抽出されるが、「＊＊＊」で検索した場合は、重要問題のみ抽出される。
【００６８】
図５の問題３の文末に付された「＊＊＜＜」の「＜＜」の部分は、誤答マーカー１７ａである。運用１ｂ時、間違えた問題７ａに「＜＜」を付け足す。「＜＜」を検索することにより、誤答した問題７ａのみを抽出することができる。
【００６９】
図５の問題５の文末に付された「＊＊＜＜＜」の「＜＜＜」の部分も、誤答マーカー１７ｂである。誤答を繰り返した問題７ａに「＜＜＜」を付け足す。「＜＜」で検索した場合は、全ての誤答した問題７ａが抽出されるが、「＜＜＜」で検索した場合は、誤答を繰り返した問題７ａのみを抽出することができる。
【００７０】
マーカーの文字数は、２文字と３文字を利用し、二段階のランクを設定しているが、文字数を増やすことにより、ランクの段階を増やすこともできる。
【００７１】
例えば、一度誤答した場合は「＜＜＜」とし、二度誤答した場合は「＜＜＜＜」とし、三度以上誤答した場合は「＜＜＜＜＜」とすることで、三段階のランクを設定することができる。尚、三段階の場合に「＜＜」を使用しないのは、「＜＜」を検索した際に、「＜＜＜＜」の付いた問題を二度抽出してしまうためである。
【００７２】
図５の問題３及び問題５の文末には、誤答マーカー１７ｂが付いているが、図５の解答３及び解答５には、誤答マーカー１７ｂは付いていない。誤答マーカー１７ｂは、設定及び解除が行われる頻度が高いため、管理するのに手間が掛かる場合は、問題７ａにだけ付すようにしても良い。
【００７３】
尚、誤答マーカー１７ｂを問題７ａにしか付さなかった場合は、同じ検索文字で解答９ａを抽出できないため、解答９ａを表示するには、手動で文書３ａを下方にスクロールさせる必要がある。
【００７４】
図５の問題４の文末に付された「＊＊＠＠＠」の「＠＠＠」の部分は、しおりマーカー１９ａである。運用１ｂ時、途中で中断する場合に「＠＠＠」を付け足す。「＠＠＠」を検索することにより、中断した箇所から再開することができる。
【００７５】
図５の問題６の文末に付された「＊＊＃＃＃」の「＃＃＃」の部分は、特別マーカー８ｃである。重要問題や誤答した問題７ａとは別に、特に目印を付けておきたい場合は、自由にマーカーを設定することができる。
【００７６】
尚、特別マーカー８ｃに関しても、問題７ａ及び解答９ａの両方に付けるか、問題７ａのみに付けるかは任意である。操作性など効率的な面から判断してマーカーを設定することができる。
【００７７】
グループ５ａに付された「＊＊＊＜＜＜＃＃＃」は、ストップマーカー６ａである。どの勉強方法を選択していても、グループ５ａが変わったことを知らせるために、全てのマーカーを含む形で設定する。
【００７８】
「＊＊」で全ての問題をする場合、「＊＊＊」で重要問題のみをする場合又は「＜＜」で誤答した問題をする場合など、いずれの場合においても、「＊＊＊＜＜＜＃＃＃」の一部を抽出するので、グループ５ａの最初で止めることができる。
【００７９】
また、グループ５ａに付された「｛水０７１４｝」は、日付マーカー２２ａである。既に最初の勉強が完了したことを示すもので、後日復習する際の目印となるマーカーで、日付や曜日などを含めた形で設定する。
【００８０】
例えば、７月１４日の水曜日に「｛水０７１４｝」と付した場合に、一週間後に「｛水」で検索すれば、「｛水０７１４｝」を付したグループ５ａを抽出することができる。また、一ヶ月後に「１４｝」で検索しても、「｛水０７１４｝」を付したグループ５ａを抽出することができる。
【００８１】
曜日に使用する「水」等の文字や日付に使用する「１４」等の文字は、問題７ａ又は解答９ａの文章中に、別の意味で存在する場合があるため、問題７ａ及び解答９ａ中にあるものは対象とならないように、日付マーカー２２ａには「｛」又は「｝」の文字を付け、検索も「｛」又は「｝」を付けた形で行う。
【００８２】
図６は、本発明である文字検索装置及び電子暗記カードを保存した記録媒体の運用時にコンピュータに表示される内容を示す図である。
【００８３】
運用１ｂの際には、コンピュータ２４の画面内に、問題７ａ又は解答９ａが表示される。尚、文書３ａは、原則として、上から下に向かって表示されていくものとし、図６における説明については、グループ５ａを考えないものとする。
【００８４】
最初に問題マーカー８ａを検索すると、問題マーカー８ａが画面内に入るように文書３ａの表示範囲が移動することで、問題表示１ｃされる。問題マーカー８ａは、問題７ａの文末にあるため、問題マーカー８ａが画面内に入ることで、問題７ａも画面内に表示される。
【００８５】
使用者が問題７ａに答えた後、解答マーカー１０ａを検索すると、問題表示１ｃと同様に、解答マーカー１０ａが画面内に入るように文書３ａの表示範囲が移動することで、解答表示１ｄされる。
【００８６】
問題７ａと解答９ａの間を１行以上空けておくことにより、問題７ａを考えている間は、解答９ａを画面外に隠しておくことができる。
【００８７】
解答９ａを確認した後は、問題マーカー８ａを検索して次の問題表示１ｃを行う。問題表示１ｃ及び解答表示１ｄを繰り返すことにより、問題７ａの出題及び解答９ａの確認を次々に進めていくことができる。
【００８８】
問題マーカー８ａと解答マーカー１０ａに同じ文字を使用しているので、検索文字を変えずに次ぎの検索をすることで、次々に表示される。検索の機能をキーに割り当てるショートカット機能を利用すれば、ワンタッチで手軽に操作できるようになる。
【実施例２】
【００８９】
図７は、本発明である文字検索装置及び電子暗記カードを保存した記録媒体のヒント機能を追加した場合を示す図である。
【００９０】
従来の暗記カード２３では、問題の裏がすぐ解答であるが、電子暗記カード１では、問題７ａと解答９ａの間に、ヒント２５等の答えを出す手助けとなる情報を入れることもできる。尚、ヒント２５は、段階を持たせて複数設定することも可能である。
【００９１】
図７に示す例は、問題７ａに問題マーカー８ａとして「＊＊＊」を設定し、解答９ａに解答マーカー１０ａとして「＊＊＊」を設定したときに、問題７ａと解答９ａの間にヒント２５を追加し、ヒントマーカーとして「＊＊」を設定した場合である。
【００９２】
図７では、問題７ａは穴埋め問題であり、第１ヒントと第２ヒントの二段階のヒント２５を設ける。尚、問題７ａ、ヒント２５及び解答９ａの間は、次の文章が見えないようにするため、１行以上空けておく。
【００９３】
「＊＊」で検索２５ｂした場合は、最初問題７ａが表示され、次の検索２５ｂでは、第１のヒント２５が表示され、更に次の検索２５ｂでは、第２のヒント２５が表示され、最後の検索２５で解答９ａが表示される。
【００９４】
「＊＊＊」で検索２５ｃした場合は、最初問題７ａが表示され、次の検索２５ｃで解答９ａが表示される。ヒント２５を追加した場合であっても、ヒント２５なしで行うことも可能である。
【００９５】
問題マーカー８ａと解答マーカー１０ａを同じにして、同じ検索文字で抽出できるようにしたことと同様に、ヒントマーカー２５ａを問題マーカー８ａ又は解答マーカー１０ａの一部の文字とすることで、同じ検索文字で抽出できる。
【００９６】
ヒント２５を複数追加した場合は、図７のように、同じヒントマーカー２５ａを使用しても良いし、ヒントマーカー２５ａを変えて、第１ヒントのみ利用する場合、第１ヒント及び第２ヒントを利用する場合と、段階を持たせても良い。
【００９７】
以上のように、本発明である文字検索装置及び電子暗記カードを保存した記録媒体は、コンピュータ２４等を利用して、問題７ａの出題と解答９ａの確認を手軽に行うことができる。検索機能の付いた文書用ソフトウェア２４ｅさえあれば使用可能で、特別なソフトウェアを用意する必要はない。
【００９８】
正誤問題、選択問題又は穴埋め問題など様々な形式の問題７ａを出題することが可能であり、問題７ａや解答９ａの文章の長さなどにも特に制限はなく、使用者が自由に記載することができる。
【００９９】
文章の切取り及び貼付けによる問題７ａの順序の入れ替え、不要な問題７ａの削除又は新たな問題７ａの追加が簡単にできる。紙に印刷する必要もないので、誤字の修正や内容の訂正等も容易にできる。
【０１００】
使用者の習熟度に合わせて、問題７ａの重要度や復習の必要度をランク付けすることができる。間違えた問題７ａなどに目印を付けておくことにより、弱点を洗い出し、集中的に勉強することができる。
【０１０１】
複数のマーカーを使い分けることにより、選択的に復習することができる。全ての問題をする場合、重要問題のみをする場合又は以前間違えた問題をする場合など目的に合った勉強方法を選択することができる。
【産業上の利用可能性】
【０１０２】
使用者１人１人が個々に問題の作成をするのではなく、企業又は個人が問題を作成し、インターネット等を介して配布することにより、時間の掛かる問題入力の手間を省くことができる。
【０１０３】
また、暗記カードのような問題を出題したり解答を確認するものだけでなく、文書を部分的に段階を分けて表示させたい場合、例えば、絵等と組み合わせて紙芝居のようなものに利用できる。マーカーを使用すれば、話を分岐させるなどの応用も可能である。
【図面の簡単な説明】
【０１０４】
【図１】本発明である文字検索装置及び電子暗記カードを保存した記録媒体の全体を示す図である。
【図２】本発明である文字検索装置及び電子暗記カードを保存した記録媒体のコンピュータの構成を示すブロック図である。
【図３】本発明である文字検索装置及び電子暗記カードを保存した記録媒体の作成を示すフローチャートである。
【図４】本発明である文字検索装置及び電子暗記カードを保存した記録媒体の運用を示すフローチャートである。
【図５】本発明である文字検索装置及び電子暗記カードを保存した記録媒体の文書の内容を示す図である。
【図６】本発明である文字検索装置及び電子暗記カードを保存した記録媒体の運用時にコンピュータに表示される内容を示す図である。
【図７】本発明である文字検索装置及び電子暗記カードを保存した記録媒体のヒント機能を追加した場合を示す図である。
【図８】従来の暗記カードの斜視図である。
【符号の説明】
【０１０５】
１        電子暗記カード
１ａ      作成
１ｂ      運用
１ｃ      問題表示
１ｄ      解答表示
２        新規確認
３        文書作成
３ａ      文書
４        グループ確認
５        グループ作成
５ａ      グループ
６        ストップマーカー設定
６ａ      ストップマーカー
７        問題作成
７ａ      問題
８        問題マーカー設定
８ａ      問題マーカー
８ｂ      問題マーカー
８ｃ      特別マーカー
９        解答作成
９ａ      解答
１０        解答マーカー設定
１０ａ      解答マーカー
１１        未入力有無確認
１２        しおり有無確認
１３        復習事項有無確認
１４        日付マーカー検索
１５        問題マーカー検索
１６        解答マーカー検索
１７        誤答マーカー設定
１７ａ      誤答マーカー
１７ｂ      誤答マーカー
１８        中断確認
１９        しおりマーカー設定
１９ａ      しおりマーカー
２０        残問題有無確認
２１        グループ復習
２１ａ      誤答マーカー検索
２１ｂ      誤答マーカー解除
２１ｃ      残問題有無確認
２２        日付マーカー設定
２２ａ      日付マーカー
２３        暗記カード
２３ａ      カード
２３ｂ      孔
２３ｃ      輪
２３ｄ      表面
２３ｅ      裏面
２４        コンピュータ
２４ａ      中央演算処理装置
２４ｂ      記憶装置
２４ｃ      入力装置
２４ｄ      出力装置
２４ｅ      文書用ソフトウェア
２５        ヒント
２５ａ      ヒントマーカー
２５ｂ      検索
２５ｃ      検索
【図１】
2006058632.tif 000003
【図２】
2006058632.tif 000004
【図３】
2006058632.tif 000005
【図４】
2006058632.tif 000006
【図５】
2006058632.tif 000007
【図６】
2006058632.tif 000008
【図７】
2006058632.tif 000009
【図８】
2006058632.tif 000010
【手続補正書】
【提出日】平成17年4月22日(2005.4.22)
【手続補正１】
【補正対象書類名】特許請求の範囲
【補正対象項目名】全文
【補正方法】変更
【補正の内容】
【特許請求の範囲】
【請求項１】
コンピュータ上に電子暗記カードが既に存在していたら文書用ソフトウェアで前記電子暗記カードの文書を開き、電子暗記カードが存在していなかったら文書用ソフトウェアの形式で前記電子暗記カードの文書を作成する文書作成、前記文書作成後に問題及び解答のグループの先頭なら文書にストップマーカーをコンピュータの入力装置により設定するグループ作成、前記グループ作成後にコンピュータの入力装置により問題を記入し前記問題の文末に問題マーカーを設定した文書をコンピュータの記憶装置に保存する問題作成、
及び前記問題作成後にコンピュータの入力装置により問題に対する解答を記入し前記解答の文末に解答マーカーを設定した文書をコンピュータの記憶装置に保存する解答作成からなり、前記グループ作成、問題作成及び解答作成を繰り返して使用者がコンピュータ上に電子暗記カードを作成する作成手段と、前記作成手段後にコンピュータの中央演算処理装置に問題マーカーを検索させて問題をコンピュータの画面内に表示する問題マーカー検索、前記問題マーカー検索後に使用者が問題に対して答えを出した上でコンピュータの中央演算処理装置に解答マーカーを検索させて問題に対する解答をコンピュータの画面内に表示して正誤を確認する解答マーカー検索、前記解答マーカー検索後にコンピュータの入力装置により使用者が間違えた問題に誤答マーカーを設定した文書をコンピュータの記憶装置に記録する誤答マーカー設定、及び前記誤答マーカー設定後にコンピュータの中央演算処理装置に誤答マーカーを検索させて使用者が間違えた問題をコンピュータの画面内に表示する誤答マーカー検索からなり、前記問題マーカー検索、解答マーカー検索、誤答マーカー設定及び誤答マーカー検索を繰り返して使用者がコンピュータ上の電子暗記カードにより勉強する運用手段とからなることを特徴とする文字検索装置及び電子暗記カードを保存した記録媒体。
【請求項２】
作成手段において、問題マーカー及び解答マーカーを重要問題マーカー又は特別マーカーとして問題及び解答に重要度の段階を設けておき、運用手段においてコンピュータの中央演算処理装置に重要問題マーカー又は特別マーカーを検索させることを特徴とする請求項１に記載の文字検索装置及び電子暗記カードを保存した記録媒体。
【請求項３】
運用手段においてコンピュータの入力装置により問題マーカー検索及び解答マーカー検索が完了した問題及び解答のグループに日付マーカーを設定した文書をコンピュータの記憶装置に保存した上で終了し、次回の運用手段においてコンピュータの中央演算処理装置に日付マーカーを検索させて既に完了した問題及び解答から問題マーカー検索及び解答マーカー検索ができるようにしたことを特徴とする請求項１又は請求項２に記載の文字検索装置及び電子暗記カードを保存した記録媒体。
【請求項４】
運用手段においてコンピュータの入力装置により文書の途中にしおりマーカーを設定して中断箇所をコンピュータの記憶装置に記録した上で終了し、次回の運用手段においてコンピュータの中央演算処理装置にしおりマーカーを検索させて中断箇所から再開することができるようにしたことを特徴とする請求項１、請求項２又は請求項３に記載の文字検索装置及び電子暗記カードを保存した記録媒体。
【請求項５】
作成手段においてコンピュータの入力装置により問題と解答の間にヒントを追加し前記ヒントの文末にヒントマーカーを設定した文書をコンピュータの記憶装置に保存しておき、運用手段においてコンピュータの中央演算処理装置にヒントマーカーを検索させてヒントをコンピュータの画面内に表示することができるようにしたことを特徴とする請求項１、請求項２、請求項３又は請求項４に記載の文字検索装置及び電子暗記カードを保存した記録媒体。
【手続補正２】
【補正対象書類名】明細書
【補正対象項目名】００１０
【補正方法】変更
【補正の内容】
【００１０】
本発明は、上記の課題を解決するために、コンピュータ２４上に電子暗記カード１が既に存在していたら文書用ソフトウェア２４ｅで前記電子暗記カード１の文書３ａを開き、電子暗記カード１が存在していなかったら文書用ソフトウェア２４ｅの形式で前記電子暗記カード１の文書３ａを作成する文書作成３、前記文書作成３後に問題７ａ及び解答９ａのグループ５ａの先頭なら文書３ａにストップマーカー６ａをコンピュータ２４の入力装置２４ｃにより設定するグループ作成５、前記グループ作成５後にコンピュータ２４の入力装置２４ｃにより問題７ａを記入し前記問題７ａの文末に問題マーカー８ａを設定した文書３ａをコンピュータ２４の記憶装置２４ｂに保存する問題作成７、及び前記問題作成７後にコンピュータ２４の入力装置２４ｃにより問題７ａに対する解答９ａを記入し前記解答９ａの文末に解答マーカー１０ａを設定した文書３ａをコンピュータ２４の記憶装置２４ｂに保存する解答作成９からなり、前記グループ作成５、問題作成７及び解答作成９を繰り返して使用者がコンピュータ２４上に電子暗記カード１を作成する作成１ａ手段と、前記作成１ａ手段後にコンピュータ２４の中央演算処理装置２４ａに問題マーカー８ａを検索２５ｂさせて問題７ａをコンピュータ２４の画面内に表示する問題マーカー検索１５、前記問題マーカー検索１５後に使用者が問題７ａに対して答えを出した上でコンピュータ２４の中央演算処理装置２４ａに解答マーカー１０ａを検索させて問題７ａに対する解答９ａをコンピュータ２４の画面内に表示して正誤を確認する解答マーカー検索１６、前記解答マーカー検索１６後にコンピュータ２４の入力装置２４ｃにより使用者が間違えた問題に誤答マーカー１７ａを設定した文書３ａをコンピュータ２４の記憶装置２４ｂに記録する誤答マーカー設定１７、及び前記誤答マーカー設定１７後にコンピュータ２４の中央演算処理装置２４ａに誤答マーカー１７ａを検索させて使用者が間違えた問題７ａをコンピュータ２４の画面内に表示する誤答マーカー検索２１ａからなり、前記問題マーカー検索１５、解答マーカー検索１６、誤答マーカー設定１７及び誤答マーカー検索２１ａを繰り返して使用者がコンピュータ２４上の電子暗記カード１により勉強する運用１ｂ手段とからなることを特徴とする文字検索装置及び電子暗記カードを保存した記録媒体の構成とした。
【手続補正書】
【提出日】平成17年7月29日(2005.7.29)
【手続補正１】
【補正対象書類名】特許請求の範囲
【補正対象項目名】全文
【補正方法】変更
【補正の内容】
【特許請求の範囲】
【請求項１】
コンピュータ上に電子暗記カードが既に存在していたら文書用ソフトウェアで前記電子暗記カードの文書を開き、電子暗記カードが存在していなかったら文書用ソフトウェアの形式で前記電子暗記カードの文書を作成する文書作成、前記文書作成後に問題及び解答のグループの先頭なら文書にストップマーカーをコンピュータの入力装置により設定するグループ作成、前記グループ作成後にコンピュータの入力装置により問題を記入し前記問題の文末に問題マーカーを設定した文書をコンピュータの記憶装置に保存する問題作成、及び前記問題作成後にコンピュータの入力装置により問題に対する解答を記入し前記解答の文末に解答マーカーを設定した文書をコンピュータの記憶装置に保存する解答作成からなり、前記グループ作成、問題作成及び解答作成を繰り返して使用者がコンピュータ上に電子暗記カードを作成し、問題マーカー及び解答マーカーを重要問題マーカー又は特別マーカーとして問題及び解答に重要度の段階を設け、問題と解答の間にヒントを追加し前記ヒントの文末にヒントマーカーを設定する作成手段と、コンピュータの中央演算処理装置に問題マーカー、重要問題マーカー又は特別マーカーを検索させて問題をコンピュータの画面内に表示する問題マーカー検索、前記問題マーカー検索後に使用者が問題に対して答えを出した上でコンピュータの中央演算処理装置に解答マーカーを検索させて問題に対する解答をコンピュータの画面内に表示して正誤を確認する解答マーカー検索、前記解答マーカー検索後にコンピュータの入力装置により使用者が間違えた問題に誤答マーカーを設定した文書をコンピュータの記憶装置に記録する誤答マーカー設定、及び前記誤答マーカー設定後にコンピュータの中央演算処理装置に誤答マーカーを検索させて使用者が間違えた問題をコンピュータの画面内に表示する誤答マーカー検索からなり、前記問題マーカー検索、解答マーカー検索、誤答マーカー設定及び誤答マーカー検索を繰り返して使用者がコンピュータ上の電子暗記カードにより勉強し、コンピュータの中央演算処理装置にヒントマーカーを検索させてヒントをコンピュータの画面内に表示したり、コンピュータの入力装置により問題マーカー検索及び解答マーカー検索が完了した問題及び解答のグループに日付マーカーを設定した文書をコンピュータの記憶装置に保存した上で終了し、次回の運用手段においてコンピュータの中央演算処理装置に日付マーカーを検索させて既に完了した問題及び解答から問題マーカー検索及び解答マーカー検索したり、又はコンピュータの入力装置により文書の途中にしおりマーカーを設定して中断箇所をコンピュータの記憶装置に記録した上で終了し、次回の運用手段においてコンピュータの中央演算処理装置にしおりマーカーを検索させて中断箇所から再開したりすることができる運用手段とからなることを特徴とする文字検索装置及び電子暗記カードを保存した記録媒体。
【手続補正２】
【補正対象書類名】明細書
【補正対象項目名】００１０
【補正方法】変更
【補正の内容】
【００１０】
本発明は、上記の課題を解決するために、
コンピュータ上に電子暗記カードが既に存在していたら文書用ソフトウェアで前記電子暗記カードの文書を開き、電子暗記カードが存在していなかったら文書用ソフトウェアの形式で前記電子暗記カードの文書を作成する文書作成、前記文書作成後に問題及び解答のグループの先頭なら文書にストップマーカーをコンピュータの入力装置により設定するグループ作成、前記グループ作成後にコンピュータの入力装置により問題を記入し前記問題の文末に問題マーカーを設定した文書をコンピュータの記憶装置に保存する問題作成、及び前記問題作成後にコンピュータの入力装置により問題に対する解答を記入し前記解答の文末に解答マーカーを設定した文書をコンピュータの記憶装置に保存する解答作成からなり、前記グループ作成、問題作成及び解答作成を繰り返して使用者がコンピュータ上に電子暗記カードを作成し、問題マーカー及び解答マーカーを重要問題マーカー又は特別マーカーとして問題及び解答に重要度の段階を設け、問題と解答の間にヒントを追加し前記ヒントの文末にヒントマーカーを設定する作成手段と、コンピュータの中央演算処理装置に問題マーカー、重要問題マーカー又は特別マーカーを検索させて問題をコンピュータの画面内に表示する問題マーカー検索、前記問題マーカー検索後に使用者が問題に対して答えを出した上でコンピュータの中央演算処理装置に解答マーカーを検索させて問題に対する解答をコンピュータの画面内に表示して正誤を確認する解答マーカー検索、前記解答マーカー検索後にコンピュータの入力装置により使用者が間違えた問題に誤答マーカーを設定した文書をコンピュータの記憶装置に記録する誤答マーカー設定、及び前記誤答マーカー設定後にコンピュータの中央演算処理装置に誤答マーカーを検索させて使用者が間違えた問題をコンピュータの画面内に表示する誤答マーカー検索からなり、前記問題マーカー検索、解答マーカー検索、誤答マーカー設定及び誤答マーカー検索を繰り返して使用者がコンピュータ上の電子暗記カードにより勉強し、コンピュータの中央演算処理装置にヒントマーカーを検索させてヒントをコンピュータの画面内に表示したり、コンピュータの入力装置により問題マーカー検索及び解答マーカー検索が完了した問題及び解答のグループに日付マーカーを設定した文書をコンピュータの記憶装置に保存した上で終了し、次回の運用手段においてコンピュータの中央演算処理装置に日付マーカーを検索させて既に完了した問題及び解答から問題マーカー検索及び解答マーカー検索したり、又はコンピュータの入力装置により文書の途中にしおりマーカーを設定して中断箇所をコンピュータの記憶装置に記録した上で終了し、次回の運用手段においてコンピュータの中央演算処理装置にしおりマーカーを検索させて中断箇所から再開したりすることができる運用手段とからなることを特徴とする文字検索装置及び電子暗記カードを保存した記録媒体の構成とした。
【手続補正書】
【提出日】平成17年10月5日(2005.10.5)
【手続補正１】
【補正対象書類名】特許請求の範囲
【補正対象項目名】全文
【補正方法】変更
【補正の内容】
【特許請求の範囲】
【請求項１】
文字検索装置であるコンピュータの記録媒体である記憶装置上にテキスト形式のファイルである電子暗記カードが既に存在していたら文書用ソフトウェアで前記電子暗記カードの文書を開き、電子暗記カードが存在していなかったら文書用ソフトウェアの形式で前記電子暗記カードの文書を作成し記憶装置に保存する文書作成、前記文書作成後に問題作成で作成する問題及び解答作成で作成する解答のグループの先頭なら電子暗記カードの文書にストップマーカーをコンピュータの入力装置により設定するグループ作成、前記グループ作成後にコンピュータの入力装置により問題を記入し前記問題の文末に問題マーカーを設定した文書をコンピュータの記憶装置に保存する問題作成、及び前記問題作成後にコンピュータの入力装置により問題に対する解答を記入し前記解答の文末に解答マーカーを設定した文書をコンピュータの記憶装置に保存する解答作成からなり、前記グループ作成、問題作成及び解答作成を繰り返して使用者がコンピュータ上に電子暗記カードを作成し、問題マーカー及び解答マーカーを重要問題マーカー又は特別マーカーとして問題及び解答に重要度の段階を設け、問題と解答の間にヒントを追加し前記ヒントの文末にヒントマーカーを設定する作成手段と、
コンピュータの中央演算処理装置に問題マーカー、重要問題マーカー又は特別マーカーを検索させて問題をコンピュータの画面内に表示する問題マーカー検索、前記問題マーカー検索後に使用者が問題に対して答えを出した上でコンピュータの中央演算処理装置に解答マーカーを検索させて問題に対する解答をコンピュータの画面内に表示して正誤を確認する解答マーカー検索、前記解答マーカー検索後にコンピュータの入力装置により使用者が間違えた問題に誤答マーカーを設定した文書をコンピュータの記憶装置に記録する誤答マーカー設定、及び前記誤答マーカー設定後にコンピュータの中央演算処理装置に誤答マーカーを検索させて使用者が間違えた問題をコンピュータの画面内に表示する誤答マーカー検索からなり、前記問題マーカー検索、解答マーカー検索、誤答マーカー設定及び誤答マーカー検索を繰り返して使用者がコンピュータ上の電子暗記カードにより勉強し、コンピュータの中央演算処理装置にヒントマーカーを検索させてヒントをコンピュータの画面内に表示したり、コンピュータの入力装置により問題マーカー検索及び解答マーカー検索が完了した問題及び解答のグループに日付マーカーを設定した文書をコンピュータの記憶装置に保存した上で終了し、次回の運用手段においてコンピュータの中央演算処理装置に日付マーカーを検索させて既に完了した問題及び解答から問題マーカー検索及び解答マーカー検索したり、又はコンピュータの入力装置により文書の途中にしおりマーカーを設定して中断箇所をコンピュータの記憶装置に記録した上で終了し、次回の運用手段においてコンピュータの中央演算処理装置にしおりマーカーを検索させて中断箇所から再開したりすることができる運用手段とからなることを特徴とする文字検索装置及び電子暗記カードを保存した記録媒体。
【手続補正２】
【補正対象書類名】明細書
【補正対象項目名】００１０
【補正方法】変更
【補正の内容】
【００１０】
本発明は、上記の課題を解決するために、文字検索装置であるコンピュータの記録媒体である記憶装置上にテキスト形式のファイルである電子暗記カードが既に存在していたら文書用ソフトウェアで前記電子暗記カードの文書を開き、電子暗記カードが存在していなかったら文書用ソフトウェアの形式で前記電子暗記カードの文書を作成し記憶装置に保存する文書作成、前記文書作成後に問題作成で作成する問題及び解答作成で作成する解答のグループの先頭なら電子暗記カードの文書にストップマーカーをコンピュータの入力装置により設定するグループ作成、前記グループ作成後にコンピュータの入力装置により問題を記入し前記問題の文末に問題マーカーを設定した文書をコンピュータの記憶装置に保存する問題作成、及び前記問題作成後にコンピュータの入力装置により問題に対する解答を記入し前記解答の文末に解答マーカーを設定した文書をコンピュータの記憶装置に保存する解答作成からなり、前記グループ作成、問題作成及び解答作成を繰り返して使用者がコンピュータ上に電子暗記カードを作成し、問題マーカー及び解答マーカーを重要問題マーカー又は特別マーカーとして問題及び解答に重要度の段階を設け、問題と解答の間にヒントを追加し前記ヒントの文末にヒントマーカーを設定する作成手段と、コンピュータの中央演算処理装置に問題マーカー、重要問題マーカー又は特別マーカーを検索させて問題をコンピュータの画面内に表示する問題マーカー検索、前記問題マーカー検索後に使用者が問題に対して答えを出した上でコンピュータの中央演算処理装置に解答マーカーを検索させて問題に対する解答をコンピュータの画面内に表示して正誤を確認する解答マーカー検索、前記解答マーカー検索後にコンピュータの入力装置により使用者が間違えた問題に誤答マーカーを設定した文書をコンピュータの記憶装置に記録する誤答マーカー設定、及び前記誤答マーカー設定後にコンピュータの中央演算処理装置に誤答マーカーを検索させて使用者が間違えた問題をコンピュータの画面内に表示する誤答マーカー検索からなり、前記問題マーカー検索、解答マーカー検索、誤答マーカー設定及び誤答マーカー検索を繰り返して使用者がコンピュータ上の電子暗記カードにより勉強し、コンピュータの中央演算処理装置にヒントマーカーを検索させてヒントをコンピュータの画面内に表示したり、コンピュータの入力装置により問題マーカー検索及び解答マーカー検索が完了した問題及び解答のグループに日付マーカーを設定した文書をコンピュータの記憶装置に保存した上で終了し、次回の運用手段においてコンピュータの中央演算処理装置に日付マーカーを検索させて既に完了した問題及び解答から問題マーカー検索及び解答マーカー検索したり、又はコンピュータの入力装置により文書の途中にしおりマーカーを設定して中断箇所をコンピュータの記憶装置に記録した上で終了し、次回の運用手段においてコンピュータの中央演算処理装置にしおりマーカーを検索させて中断箇所から再開したりすることができる運用手段とからなることを特徴とする文字検索装置及び電子暗記カードを保存した記録媒体の構成とした。